(57)【要約】【課題】  本発明は、加湿器の蒸発用の水溶液として使用されて、加湿と芳香の双方の作用を同時に発揮できる加湿器用芳香液組成物を提供することを目的とする。【解決手段】  芳香成分と一般式（１）で表される化合物とを組み合わせて配合し、加湿器用芳香液組成物を調製する。【選択図】なし【特許請求の範囲】
【請求項１】
芳香成分及び一般式（１）で表される化合物を含有する加湿器用芳香液組成物
【化１】
2005290236.tif 000008
（式（１）中、Ｒ1、Ｒ2は、同一又は異なって、炭素数１〜５のアルキル基又は水素原子；Ｒ3は炭素数１〜５のアルキル基又は炭素数１〜５のヒドロキシアルキル基；Ｒ4は水酸基又は水素原子；及びＲ5は炭素数１〜５のアルキル基又は炭素数１〜５のアルキルエーテル基を示す）。
【請求項２】
更に、エタノールを含有する、請求項１に記載の加湿器用芳香液組成物。
【請求項３】
水を含まない組成物である、請求項１又は２に記載の加湿器用芳香液組成物。
【請求項４】
更に、水を含有する、請求項１又は２に記載の加湿器用芳香液組成物。
【請求項５】
一般式（１）で表される化合物が、３−メトキシ−３−メチル−１−ブタノール、プロピレングリコールモノメチルエーテル、及びプロピレングリコールモノエチルエーテルよりなる群から選択される少なくとも１種の化合物である、請求項１乃至４のいずれかに記載の加湿器用芳香液組成物。
【請求項６】
使用時の芳香成分濃度が０．０００５〜１重量％である、請求項１乃至５のいずれかに記載の加湿器用芳香液組成物。
【請求項７】
濃縮タイプの加湿器用芳香液組成物である、請求項１乃至６のいずれかに記載の加湿器用芳香液組成物。
【請求項８】
加湿器用の蒸発用の水１００重量部に請求項７に記載の加湿器用芳香液組成物を０．００５〜１０重量部添加して調製される、加湿器用の蒸発用の芳香液。
【請求項９】
空間内を加湿すると同時に発香する方法であって、加湿器を用いて、請求項１乃至８のいずれかに記載の加湿器用芳香液組成物を空間内に揮散させることを特徴とする、加湿発香方法。
【発明の詳細な説明】
【技術分野】
【０００１】
本発明は、加湿器用芳香液組成物に関する。更に本発明は、空間内を加湿すると同時に発香する方法に関する。
【背景技術】
【０００２】
従来、室内空間の乾燥を防止して正常な湿度を保つために、加湿器が使用されている。また、室内空間の臭気による不快感をなくし、快適な空間を生み出すために、芳香成分を揮散させることにより芳香作用を発揮できる芳香剤が広く使用されている。
【０００３】
加湿器により芳香成分を揮発させることができれば、加湿と芳香の双方の作用を同時発揮させることが可能となり、簡便な方法で室内空間をより快適にすることができる。
【０００４】
しかしながら、単に、加湿器に使用される蒸発用の水に芳香成分を添加するだけでは、水中に芳香成分が十分に分散しない、或いは芳香成分の揮散が不十分である等の不都合がある。一方、芳香成分を水に溶解させるために通常使用されている溶解補助剤、例えば界面活性剤や、ジプロピレングリコール、プロピレングリコール、イソプロピルアルコール等の高級アルコールを芳香成分と混合することによって、芳香成分の水への溶解性の問題は解決し得る。しかしながら、本発明者の研究によって、上記溶解補助剤の中には、不快な臭いを伴うものがあったり、また、上記溶解補助剤を含む水を加湿器により蒸発させると、フィルター、給水タンク、加熱体部分等の加湿器構成部材に残留物を生じさせたりすることが分かった。このような不快な臭いを伴う溶解補助剤の使用は、芳香成分の効果を低減させたり、使用者に不快感を与えたりするため、望ましくない。また、残留物を生じさせる溶解補助剤の使用は、加湿器のフィルターの目詰まり、変色や悪臭の発生、加湿器の劣化等の原因になるため、回避することが望ましい。
【０００５】
これまで、このような技術的問題点が解決されていないため、加湿器内に残留物を生じさせることなく、加湿器により加湿と芳香の双方の作用を同時発揮させることができる加湿器用芳香液組成物は、未だ開発されていない。
【０００６】
一方、芳香成分を水と共に揮発させる技術に関しては、特許文献１に開示されている。具体的には、当該文献には、芳香成分と共に、ジプロピレングリコール、プロピレングリコール、イソプロピルアルコール等の各種溶解補助剤を含有するアイロン処理助剤組成物が開示されており、該アイロン処理助剤組成物をスチーム源として衣服にスチームアイロンをかけることにより、衣服に芳香を付与できることが記載されている。しかしながら、特許文献１のアイロン助剤組成物に使用されている溶解補助剤を加湿器用の蒸発用の水に添加すると、前述のように加湿器内に残留物が生じてしまうため、当該溶解補助剤は加湿器用芳香液組成物に配合して使用することはできない。
【特許文献１】国際公開第０２／１０５０３号パンフレット
【発明の開示】
【発明が解決しようとする課題】
【０００７】
そこで本発明の目的は、上記従来技術の課題を解決することである。具体的には、本発明は、加湿器の蒸発用の水溶液として使用されて、加湿と芳香の双方の作用を同時に発揮できる加湿器用芳香液組成物を提供することを目的とする。
【課題を解決するための手段】
【０００８】
本発明者は、上記課題を解決すべく鋭意検討したところ、芳香成分と共に一般式（１）で表される化合物を水に混合し、これを加湿器の蒸発用の水溶液として使用すると、加湿器内に残留物を生じさせることなく、加湿と芳香の双方の作用を同時に発揮できることを見出した。本発明は、かかる知見に基づいて、更に検討を重ねることによって完成したものである。
【０００９】
即ち、本発明は、下記に掲げる発明である：
項１．  芳香成分及び一般式（１）で表される化合物を含有する加湿器用芳香液組成物
【００１０】
【化１】
2005290236.tif 000002
【００１１】
（式（１）中、Ｒ1、Ｒ2は、同一又は異なって、炭素数１〜５のアルキル基又は水素原子；Ｒ3は炭素数１〜５のアルキル基又は炭素数１〜５のヒドロキシアルキル基；Ｒ4は水酸基又は水素原子；及びＲ5は炭素数１〜５のアルキル基又は炭素数１〜５のアルキルエーテル基を示す）。
項２．更に、エタノールを含有する、項１に記載の加湿器用芳香液組成物。
項３．水を含まない組成物である、項１又は２に記載の加湿器用芳香液組成物。
項４．更に、水を含有する、項１又は２に記載の加湿器用芳香液組成物。
項５．非濃縮タイプの加湿器用芳香液組成物である、項１、２又は４に記載の加湿器用芳香液組成物。
項６．非水濃縮タイプの加湿器用芳香液組成物である、項１乃至３のいずれかに記載の加湿器用芳香液組成物。
項７．含水濃縮タイプの加湿器用芳香液組成物である、項１、２又は４に記載の加湿器用芳香液組成物。
項８．一般式（１）で表される化合物が、３−メトキシ−３−メチル−１−ブタノール、プロピレングリコールモノメチルエーテル、及びプロピレングリコールモノエチルエーテルよりなる群から選択される少なくとも１種の化合物である、項１乃至７のいずれかに記載の加湿器用芳香液組成物。
項９．使用時の芳香成分濃度が０．０００５〜１重量％である、項１乃至８のいずれかに記載の加湿器用芳香液組成物。
項１０．芳香成分、一般式（１）で表される化合物、エタノール及び残部水を含有する加湿器用芳香液組成物であって、(a)芳香成分が該組成物の総量に対して、０．０００５〜６重量％の割合で含まれており、(b)芳香成分１重量部に対して、一般式（１）で表される化合物が０．０５〜１０００重量部、及びエタノールが０．０５〜９００重量部の割合で含まれている、項１、２、４、５、７又は８に記載の加湿器用芳香液組成物。
項１１．組成物の総量に対して、芳香成分を０．０００５〜１重量％、及び一般式（１）で表される化合物を０．０００２５〜１０重量％の割合で含む、項１、２、４、５、７又は８に記載の加湿器用芳香液組成物。
項１２．組成物の総量に対して、芳香成分を０．０００５〜１重量％、一般式（１）で表される化合物を０．０００２５〜１０重量％、及びエタノールを０．０００２５〜９重量％の割合で含む、項１乃至１、２、４、５、７又は８に記載の加湿器用芳香液組成物。
項１３．加湿器用の蒸発用の水１００重量部に、項６又は７に記載の加湿器用芳香液組成物を０．００５〜１０重量部添加して調製される、加湿器用の蒸発用の芳香液。
【００１２】
また、本発明は、下記に掲げる加湿発香方法である：
項１４．  空間内を加湿すると同時に発香する方法であって、加湿器を用いて、項１乃至１２のいずれかに記載の加湿器用芳香液組成物又は項１３に記載の加湿器用の蒸発用の芳香液を空間内に揮散させることを特徴とする、加湿発香方法。
項１５．  項６に記載の非水濃縮タイプの加湿器用芳香液組成物又は項７に記載の含水濃縮タイプの加湿器用芳香液組成物を水で希釈して芳香成分の濃度を０．０００５〜１重量％に調整し、これを加湿器を用いて空間内に揮散させる、項１３に記載の加湿発香方法。
【００１３】
以下に、本発明を詳細に説明する。
【００１４】
本発明の加湿器用芳香液組成物は、芳香成分及び一般式（１）で表される化合物（以下、単に化合物（１）という。）を含有することを特徴とするものである。
【００１５】
本発明の加湿器用芳香液組成物に含まれる芳香成分については、天然香料、天然香料から分離された単離香料、合成香料のいずれであってもよく、従来公知の芳香成分を使用することができる。例えば、芳香成分として、炭素数６〜１２のアルデヒド、アニスアルデヒド、アセタールＲ、アセトフェノン、アセチルセドレン、アドキサール、アリルアミルグリコレート、アリルシクロヘキサンプロピオネート、アルファダマスコン、アンブレットリッド、アンブロキサン、アミルシンナミックアルデヒド、アミルシンナミックアルデヒドジメチルアセタール、アミルバレリアネート、アミルサリシレート、イソアミルアセテート、アセチルユゲノール、イソアミルサリシレート、インドール、αイオノン、βイオノン、αメチルイオノン、βメチルイオノン、γメチルイオノン、インデン、エチルワニリン、オウランチオール、オークモスＮｏ.１、オリボン、オキシフェニロン、カリオフィレン、カシュメラン、カルボン、ガラキソリッド、キャロン、クマリン、パラクレジールメチルエーテル、ゲラニオール、ゲラニルアセテート、ゲラニルフォーメート、ゲラニルニトリル、テトラヒドロゲラニオール、テトラヒドロゲラニールアセテート、コアボン、サンダロア、サンデラ、サンタレックス、サンタリノール、メチルサリシレート、シンナミックアルコール、シンナミックアルデヒド、シスジャスモン、シトラール、シトラールジメチルアセタール、シトラサール、シトロネラール、シトロネロール、シトロネリルアセテート、シトロネリルフォーメート、シトロネリルニトリル、シクラセット、シクラメンアルデヒド、シクラプロップ、シンナミルアセテート、ジヒドロジャスモン、ジメトール、イソシクロシトラール、ジャスマール、ジャスモラクトン、ジャスモフィラン、スチラリールアセテート、スチラリールプロピオネート、セドロアンバー、セドリルアセテート、セドロール、セレストリッド、βダマスコン、αターピネオール、γターピネオール、ターピニルアセテート、チモール、デルタダマスコン、デルタＣ６〜Ｃ１３ラクトン、トナリッド、トラセオライド、トリプラール、イソノニルアセテート、ネロール、ネリールアセテート、ネオベルガメート、ノピールアセテート、ノピールアルコール、バクダノール、ヒヤシンスジメチルアセタール、ヒドロトロピックアルコール、ヒドロキシシトロネラール、αピネン、ブチルブチレート、パラターシャリーブチルシクロヘキサノール、パラターシャリーブチルシクロヘキシルアセテート、オルトターシャリーブチルシクロヘキサノール、ジフェニルオキサイド、フルイテート、フェンチールアルコール、フェニルエチルフェニルアセテート、イソブチルキノリン、フェニルエチルアルコール、フェニルエチルアセテート、フェニルアセトアルデハイドジメチルアセタール、ベンジルアセテート、ベンジルアルコール、ベンジルサリシレート、ベルガミールアセテート、ベンズアルデヒド、ベンジルフォーメート、ジメチルベンジルカービノール、ヘディオン、ヘリオナール、ヘリオトロピン、シス−３−ヘキセノール、シス−３−ヘキセニールアセテート、シス−３−ヘキセニールサリシレート、ヘキシルシンナミックアルデヒド、ヘキシルサリシレート、ペン��リッド、ベルドックス、オルトボルニルアセテート、イソボルニルアセテート、イソボルネオール、エンド−ボルネオール、マンザネート、マイヨール、ミューゲアルデヒド、ミラックアルデヒド、ジヒドロミルセノール、ジミルセトール、ムゴール、ムスクＴＭ−II、ムスク７８１、ムスクＣ１４、ムスクＴ、ムスクケトン、ムスクチベチン、ムスクモスケン、メンサニールアセテート、メンソネート、メチルアンスラニレート、メチルユゲノール、メントール、メチルフェニルアセテート、ユゲノール、イソユゲノール、メチルイソユゲノール、γＣ６〜１３ラクトン、ライムオキサイド、メチルラベンダーケトン、ジヒドロリナロール、リグストラール、リリアール、リモネン、リナロール、リナロールオキサイド、テトラヒドロリナロール、テトラヒドロリナリールアセテート、リナリルアセテート、リラール、ルバフラン、ローズフェノン、ローズオキサイド、ワニリン、ベンゾイン、ペルーバルサム、トルーバルサム、チュベローズ油、ムスクチンキ、カストリウムチンキ、シベットチンキ、アンバーグリスチンキ、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、ワニラ豆チンキ、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油、ゆず油等を挙げることができる。
【００１６】
これらの芳香成分は、１種単独で使用してもよく、また２種以上を任意に組み合わせて調香して使用することもできる。
【００１７】
上記芳香成分の中で、溶解限界濃度が４８％以下、好ましくは４７％以下、更に好ましくは４５％以下のものが望ましい。ここで溶解限界濃度とは、エタノール１重量部に対して芳香成分１重量部を溶解し、これを撹拌しながら更にイオン交換水を滴下していき、液が２層に分離した時点での液中の芳香成分の濃度（重量％）を示す。なお、２種以上の成分の混合物からなる芳香成分を使用する場合、上記溶解限界濃度は該混合物自体が示す値である。
【００１８】
また、本発明で使用する芳香成分の好適なものとして、水酸基、カルボキシル基、アルコシキ基、エステル基、ホルミル基、カルボニル基等の極性の官能基を有する成分、及び該成分を含む混合物が挙げられる。
【００１９】
また、本発明で使用する芳香成分は、特に制限されないが、２５℃における蒸気圧が、例えば０．５ｍｍＨｇ以上、好ましくは０．６ｍｍＨｇ以上、更に好ましくは０．７ｍｍＨｇ以上のものが望ましい。かかる特性を備える芳香成分であれば、加湿器用の蒸発用芳香液としてより優れた芳香作用を発揮し、しかも残留物の生成を一層抑制することができる。なお、２種以上の成分の混合物からなる芳香成分を使用する場合、上記蒸気圧は該混合物自体が示す値である。
【００２０】
本発明の加湿器用芳香液組成物に含有される化合物（１）は、下式で表される化合物である。
【００２１】
【化２】
2005290236.tif 000003
【００２２】
式中、Ｒ1は炭素数１〜５のアルキル基又は水素原子、好ましくはメチル基、エチル基又は水素原子を示す。Ｒ2は炭素数１〜５のアルキル基又は水素原子、好ましくはメチル基、エチル基又は水素原子を示す。Ｒ3は炭素数１〜５のアルキル基又は炭素数１〜５のヒドロキシアルキル基、好ましくはメチル基、エチル基、ヒドロキシメチル基又はヒドロキシエチル基を示す。Ｒ4は水酸基又は水素原子を示す。Ｒ5は炭素数１〜５のアルキル基又は炭素数２〜５のアルキルエーテル基、好ましくはメチル基、エチル基又は炭素数３〜５のアルキルエーテル基を示す。なお、上記Ｒ1〜Ｒ5のアルキル基は、直鎖であっても側鎖を有していても良い。また、上記Ｒ5のアルキルエーテル基についても、直鎖であっても側鎖を有していても良い。
【００２３】
当該化合物（１）は、特に制限されないが、水に対する溶解性が高いものが望ましい。例えば、２０℃の水１０ｍｌに該化合物１０ｇを添加混合した場合に、５０％以上、好ましくは９０％以上、更に好ましくは９９％以上の溶解性を示す化合物が望ましい。
【００２４】
特に、化合物（１）として、式中、Ｒ1がメチル基、Ｒ2がメチル基、Ｒ3がヒドロキシメチル基、Ｒ4が水素原子、Ｒ5がメチル基を示す化合物；及びＲ1が水素原子、Ｒ2が水素原子、Ｒ3がメチル基、Ｒ4が水酸基、Ｒ5がメチル基、エチル基又は下式（２）で表されるアルキルエーテル基を示す化合物を好適に使用することができる。
【００２５】
【化３】
2005290236.tif 000004
【００２６】
このような化合物として、具体的には、３−メトキシ−３−メチル−１−ブタノール（式中、Ｒ1がメチル基、Ｒ2がメチル基、Ｒ3がヒドロキシメチル基、Ｒ4が水素原子、Ｒ5がメチル基である化合物）、プロピレングリコールモノメチルエーテル（式中、Ｒ1が水素原子の場合、Ｒ2が水素原子、Ｒ3がメチル基、Ｒ4が水酸基、Ｒ5がメチル基である化合物）、プロピレングリコールモノエチルエーテル（式中、Ｒ1が水素原子、Ｒ2が水素原子、Ｒ3がメチル基、Ｒ4が水酸基、Ｒ5がエチル基である化合物）及びジプロピレングリコールモノメチルエーテル（式中、Ｒ1が水素原子、Ｒ2が水素原子、Ｒ3がメチル基、Ｒ4が水酸基、Ｒ5が一般式（２）で表されるアルキルエーテル基である化合物）を例示できる。これらの中で、好ましくは、３−メトキシ−３−メチル−１−ブタノール、プロピレングリコールモノメチルエーテル、及びプロピレングリコールモノエチルエーテルであり、特に好ましくは３−メトキシ−３−メチル−１−ブタノールである。
【００２７】
このような化合物は、商業的に入手することができる。例えば、３−メトキシ−３−メチル−１−ブタノール（商品名「ソルフィット」、クラレ社製）、プロピレングリコールモノメチルエーテル（商品名「アーコソルブＰＭ」、アーコ社製）、プロピレングリコールモノエチルエーテル（商品名「アーコソルブＰＥ」、アーコ社製）、ジプロピレングリコールモノメチルエーテル（商品名「アーコソルブＤＰＭ」、アーコ社製）等が市販されている。
【００２８】
本発明において、上記化合物（１）は、１種単独で使用してもよく、また２種以上を任意に組み合わせて使用してもよい。
【００２９】
本発明の加湿器用芳香液組成物に含まれる上記芳香成分と上記化合物（１）の割合としては、使用する芳香成分や化合物（１）の種類等によって異なるが、例えば、芳香成分１重量部に対して、化合物（１）が０．０５〜１０００重量部、好ましくは０．０７〜２００重量部、更に好ましくは０．５〜１００重量部となる割合が例示される。
【００３０】
本発明の加湿器用芳香液組成物は、上記芳香成分と化合物（１）の他に、エタノールを含有してもよい。エタノールを含有することによって、水に対する芳香成分の分散性を良好にでき、また加湿器内での残留物の生成をより一層抑制できる。更には、エタノールの作用により加湿器の給水タンク内の防腐効果を得ることもできる。
【００３１】
本発明の加湿器用芳香液組成物にエタノールを含有させる場合、該エタノールの配合割合については、特に制限されないが、例えば、芳香成分１重量部に対して、エタノールが０．０５〜９００重量部、好ましくは０．９〜１８０重量部、更に好ましくは１５〜９０重量部となる割合が例示される。
【００３２】
本発明の加湿器用芳香液組成物は、使用時に加湿器用の蒸発用芳香液として使用されるため使用時には水を含有するが、後述するように、濃縮タイプの形態であれば、水を含まなくてもよい。なお、後述するように、水を含有する加湿器用芳香液組成物には、非濃縮タイプのみならず、濃縮タイプ（無水濃縮タイプ）の形態の場合も含まれる。
【００３３】
また、本発明の加湿器用芳香液組成物は、本発明の効果を妨げないことを限度として、上記成分の他に、溶解剤、界面活性剤、防腐剤、キレート剤、消臭剤等の他の成分を適当量含有してもよい。なお、界面活性剤や高沸点アルコール（例えば、沸点１８０℃以上）が加湿器の蒸発用の水（芳香液）に含まれていると、加湿器のフィルターや給水タンクに残留物が生じる場合があるので、本発明の加湿器用芳香液組成物はこれらの成分を含んでいないものが望ましい。
【００３４】
本発明の加湿器用芳香液組成物は、水を用いて、芳香成分の濃度が０．０００５〜１重量％、好ましくは０．０００８〜０．１重量％、更に好ましくは０．００１〜０．０１重量％となるように調整されて、加湿器用の蒸発用芳香液として使用される。このような濃度に調整し、加湿器用の蒸発用芳香液として使用することにより、加湿効果と共に良好な芳香効果を奏することが可能になる。
【００３５】
前述するように、本発明の加湿器用芳香液組成物において、化合物（１）やエタノールの配合割合は、芳香成分の配合割合と対応関係にある。従って、芳香成分が上記濃度範囲に調整されることにより、化合物（１）やエタノールの使用時の濃度も定まる。一例として、使用時の化合物（１）やエタノールの濃度を挙げると次の通りである。使用時の化合物（１）の濃度としては、化合物（１）が、使用時の加湿器用芳香液組成物の総量に対して、例えば０．０００２５〜１０重量％、好ましくは０．０００４〜８重量％、更に好ましくは０．０００５〜５重量％が例示される。また、更にエタノールを含有する場合、使用時のエタノールの濃度としては、使用時の加湿器用芳香液組成物の総量に対して、例えば０．０００２５〜９重量％、好ましくは０．０００４〜７．５重量％、更に好ましくは０．０００５〜４．６重量％が例示される。
【００３６】
本発明の加湿器用芳香液組成物は、水を含有し、芳香成分等の濃度が上記範囲に予め調整されているもの（非濃縮タイプ）であってもよい。かかる非濃縮タイプの加湿器用芳香液組成物は、使用時に、加湿器用の蒸発用芳香液としてそのまま使用できる。
【００３７】
また、本発明の加湿器用芳香液組成物は、使用時に、上記芳香成分濃度となるように加湿器用の蒸発用の水で希釈されて使用されるもの、即ち濃縮タイプの形態のものであってもよい。ここでいう「加湿器用の蒸発用の水」は、常水（上水道水）、家庭用浄水器の水などでかまわない。このような濃縮タイプの加湿器用芳香液組成物としては、例えば、水以外の成分で構成されるもの（無水濃縮タイプ）の他に、水を含むが芳香成分等の濃度が上記使用時の濃度より高いもの（含水濃縮タイプ）が挙げられる。かかる濃縮タイプの加湿器用芳香液組成物は容積を抑制できるという点で利点があり、流通段階では有用である。特に、含水濃縮タイプの加湿器用芳香液組成物では、使用時に水で希釈する際に、芳香成分の水への分散性の点においても優れている。
【００３８】
含水濃縮タイプの加湿器用芳香液組成物において、水の配合割合は、使用する化合物（１）の種類やエタノールの配合の有無、目的の希釈倍率等に応じて適宜設定される。含水濃縮タイプの加湿器用芳香液組成物中の水の配合割合としては、例えば、上記芳香成分、化合物（１）及びエタノールの合計量（エタノールを含まない場合は、芳香成分と化合物（１）の合計量）１００重量部に対して、水が０．１〜３００重量部、好ましくは０．２〜２５０重量部、更に好ましくは０．３〜２００重量部となる割合が例示される。このような割合で水を配合することにより、水が可溶化している状態、或いは乳化状態の含水濃縮タイプの加湿器用芳香液組成物が得られる。含水濃縮タイプの加湿器用芳香液組成物に配合される水としては特に制限されないが、脱塩水（蒸留水、イオン交換水も含む）が望ましい。なお、ここでいう「可溶化している状態、或いは乳化状態」とは、２０℃、３００ｒｐｍで３０分間攪拌した後、２５℃で７日間放置しても芳香成分が分離して２層に分かれない程度に可溶化或いは乳化している状態を意味する。
【００３９】
上記濃縮タイプの加湿器用芳香液組成物は、使用時に、加湿器用の蒸発用の水で希釈して芳香成分等の濃度を上記使用時の濃度に調整し、加湿器用の蒸発用の芳香液とし使用される。上記濃縮タイプの加湿器用芳香液組成物から加湿器用の蒸発用の芳香液を調製するには、例えば、水１００重量部に対して、上記濃縮タイプの加湿器用芳香液組成物を０．００５〜１０重量部、好ましくは０．００７〜７重量部、更に好ましくは０．０１〜５重量部添加すればよい。なお、濃縮タイプの加湿器用芳香液組成物の場合、その希釈倍率を該組成物を収容する容器に明示しておいたり、更には目的の容量を計量できる計量カップを付属させておくことが望ましい。
【００４０】
本発明の加湿器用芳香液組成物は、通常用いられている加湿器の何れにも使用することができる。本発明の加湿器用芳香液組成物を使用できる加湿器の一例として、ヒーターで水を加熱して加湿するスチーム式；スチーム式に更にファン等による送風加湿手段を組み合わせたスチームファン式；水を浸み込ませたフィルターに対してファン等で送風することにより加湿する気化式；水を浸み込ませたフィルターに対して温風をファン等で送風することにより加湿するハイブリッド式；超音波により加湿する超音波式；及びこれらの複合型等の加湿方式を採用する加湿器が挙げられる。
【００４１】
本発明の加湿器用芳香液組成物を用いて、加湿器により該組成物を揮散（蒸発）させることにより、空間内を加湿すると共に、芳香で満たすことができる。故に、本発明は、他の観点から、空間内を加湿すると同時に発香する方法であって、加湿器を用いて、上記加湿器用芳香液組成物を空間内に揮散（蒸発）させることを特徴とする、加湿発香方法を提供する。なお、ここでいう空間とは、加湿器が使用される空間（例えば、室内や車内等の空間）を意味する。
【００４２】
また更に、別の観点から、本発明は、芳香成分及び化合物（１）の揮散（蒸発）方法を提供する。該発明によれば、揮散（蒸発）時に、揮散成分（蒸発した成分）の総重量に対して、芳香成分が０．０００５〜１重量％及び化合物（１）が０．０００２５〜９重量％となる割合で、芳香成分及び化合物（１）を揮散（蒸発）させることにより、残留物を生じさせることなく、優れた加湿及び芳香効果を奏することができる。上記割合で、芳香成分及び化合物（１）を揮散させるには、簡便には、上記加湿器用芳香液組成物を使用すればよいが、例えば、芳香成分及び化合物（１）を上記加湿器用芳香液組成物の使用時の濃度よりも高く調整した加湿器用蒸発用芳香液を用いて、芳香成分及び化合物（１）が水に比べて選択的に揮発（蒸発）され難い揮散条件を適宜設定することによっても実施できる。即ち、本発明は、更に、下記態様の芳香成分及び一般式（１）で表される化合物の揮散方法を提供する。
1)  芳香成分及び化合物（１）を揮散（蒸発）させる方法であって、揮散成分（蒸発した成分）の総重量に対して、芳香成分が０．０００５〜１重量％及び化合物（１）が０．０００２５〜１０重量％になる割合で、芳香成分及び化合物（１）を揮散（蒸発）させることを特徴とする、方法。
2)  揮散成分（蒸発した成分）の総重量に対して、芳香成分が０．０００８〜０．１重量％及び化合物（１）が０．０００４〜８重量％になる割合で、芳香成分及び化合物（１）を揮散（蒸発）させることを特徴とする、1)に記載の方法。
3)  揮散成分（蒸発した成分）の総重量に対して、芳香成分が０．００１〜０．０１重量％及び化合物（１）が０．０００５〜５重量％になる割合で、芳香成分及び化合物（１）を揮散（蒸発）させることを特徴とする、1)又は2)に記載の方法。
4)  芳香成分及び化合物（１）と共に、更にエタノールを、揮散成分（蒸発した成分）の総重量に対して、例えば０．０００２５〜１０重量％、好ましくは０．０００４〜８重量％、更に好ましくは０．０００５〜５重量％になる割合で揮発（蒸発）させることを特徴とする、1)乃至3)のいずれかに記載の方法。
【発明の効果】
【００４３】
本発明の加湿器用芳香液組成物は、加湿器用の蒸発用芳香液として使用しても、加湿器内に残留物を生じさせることがない。それ故、本発明の加湿器用芳香液組成物は、フィルターの目詰まりや変色、悪臭、加湿器の劣化等の加湿器内の残留物による不具合を起こすことなく、加湿器用芳香液として安全に使用できる。
【００４４】
また、本発明の加湿器用芳香液組成物は、加湿と芳香の双方の作用を同時に発揮することがでる。従って、本発明の加湿器用芳香液組成物によれば、空間内を正常な湿度に保持し、且つ香りを楽しむことができる快適な空間を創出することが可能になる。
【発明を実施するための最良の形態】
【００４５】
以下、試験例及び実施例を挙げて本発明を説明するが、本発明はこれらの実施例に限定されるものではない。
【００４６】
試験例１  残留物確認試験
表１に示す組成の芳香液を調製し（実施例１−３及び比較例１−２）、これらを用いて以下の方法で残留物確認試験を行った。
【００４７】
容量１４０ｍＬの耐熱性瓶を１０５℃の恒温槽に入れて８時間加熱した。次いで、この耐熱性瓶をデシケーターに入れて、１８時間、２５℃で冷却乾燥した後、耐熱性瓶の重量を測定した。次いで、耐熱性瓶に芳香液組成物を所定量添加して、再度、１０５℃の恒温槽に入れて８時間加熱し、耐熱性瓶中の芳香液を蒸発させた。この耐熱性瓶をデシケーターに入れて、１８時間、２５℃で冷却乾燥した後、耐熱性瓶の重量を測定した。下記計算式に従って、芳香液の残留物発生割合（％）を算出した。
【００４８】
【数１】
2005290236.tif 000005
【００４９】
得られた結果を表１に併せて示す。この結果から、芳香成分と共に化合物（１）を組み合わせて含有する芳香液では、残留物発生割合が顕著に低いことが明らかになった。これに対して、通常、芳香成分の溶解剤として使用されているジプロピレングリコールを含む芳香液では、高い割合で残留物が生じることが確認された。
【００５０】
また、実施例１−３及び比較例１−２の芳香液１ｇを水１００ｍＬに添加したところ、実施例１−３及び比較例２の芳香液は良好な溶解性を示したが、比較例１の芳香液は水に溶解できなかった。
【００５１】
【表１】
2005290236.tif 000006
【００５２】
実施例４−５
表２に示す組成の含水濃縮タイプの加湿器用芳香液組成物を調製した。水道水１Ｌを入れた加湿器のタンク内に、この含水濃縮タイプの加湿器用芳香液組成物５ｇを添加して混合した後、スチーム式加湿器にて蒸発させた。加湿器用芳香液組成物の蒸発が開始して、約５−２０分後に室内が芳香で満たされた。また、使用後に加湿器内のタンクや発熱部分等を確認したところ、水道水から発生するミネラル分以外の残留物はほとんど生じていなかった。また、同様の試験を気化式加湿器、及びハイブリッド式加湿器を用いて行ったところ、上記スチーム式加湿器の場合と同じ結果が得られた。
【００５３】
【表２】
2005290236.tif 000007
【手続補正書】
【提出日】平成17年5月18日(2005.5.18)
【手続補正１】
【補正対象書類名】明細書
【補正対象項目名】００１８
【補正方法】変更
【補正の内容】
【００１８】
また、本発明で使用する芳香成分の好適なものとして、水酸基、カルボキシル基、アルコキシ基、エステル基、ホルミル基、カルボニル基等の極性の官能基を有する成分、及び該成分を含む混合物が挙げられる。
【手続補正２】
【補正対象書類名】明細書
【補正対象項目名】００４４
【補正方法】変更
【補正の内容】
【００４４】
また、本発明の加湿器用芳香液組成物は、加湿と芳香の双方の作用を同時に発揮することができる。従って、本発明の加湿器用芳香液組成物によれば、空間内を正常な湿度に保持し、且つ香りを楽しむことができる快適な空間を創出することが可能になる。